【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
距舟関節プロテーゼ（１）であって、当該プロテーゼを収容するための新たな関節空間を作成するように骨の適切な関節関連部に適切な外科的処理をした後に、患者の距骨と舟状骨の間にある自然かつ本来の距舟関節と交換するよう構成された距舟関節プロテーゼ（１）において、当該プロテーゼが：
内側面（８）と外側面（６）とを有し、距骨要素の面の間の平均距離を定量化したｔＴと規定する平均厚さを有する距骨要素（２）であって、当該距骨要素の平均厚さｔＴが当該距骨要素に十分な強度と剛性を提供することに矛盾しない最小値を取るように、前記距骨要素の面が構成される距骨要素（２）と、
内側面（２８）と外側面（２６）とを有し、舟状骨要素の面の間の平均距離を定量化したｔＮと規定する平均厚さを有する舟状骨要素（４）であって、当該舟状骨要素の平均厚さｔＮが当該舟状骨要素に十分な強度と剛性を提供することに矛盾しない最小値を取るように、前記舟状骨要素の面が構成される舟状骨要素（４）と、を具えていることを特徴とするプロテーゼ。
【請求項２】
請求項１に記載の距舟関節プロテーゼにおいて：
前記距骨要素の内側面（８）がさらに、前記距骨要素を取り付ける自然の距骨関節の表面の解剖学的輪郭に概ね沿うように構成されていることを特徴とするプロテーゼ。
【請求項３】
請求項１に記載の距舟関節プロテーゼにおいて：
前記舟状骨要素の内側面（２８）が、前記舟状骨要素を取り付ける自然の舟状骨関節の表面の解剖学的輪郭に概ね沿うように構成されていることを特徴とするプロテーゼ。
【請求項４】
請求項２に記載の距舟関節プロテーゼにおいて：
前記舟状骨要素の内側面（２８）が、前記舟状骨要素を取り付ける自然の舟状骨関節の表面の解剖学的輪郭に概ね沿うように構成されていることを特徴とするプロテーゼ。
【請求項５】
請求項１に記載の距舟関節プロテーゼにおいて：
前記距骨要素の平均厚さｔＴが前記距骨要素に十分な強度と剛性を提供することに矛盾しない最小値を取ることができるように、前記距骨要素の外側面（６）の一部が前記距骨要素の内側面（８）に対して平行かつ同軸であることを特徴とするプロテーゼ。
【請求項６】
請求項１に記載の距舟関節プロテーゼにおいて：
前記舟状骨要素の平均厚さｔＮが前記舟状骨要素に十分な強度と剛性を提供することに矛盾しない最小値を取ることができるように、前記舟状骨要素の外側面（２６）の一部が前記舟状骨要素の内側面（２８）に対して平行かつ同軸であることを特徴とするプロテーゼ。
【請求項７】
請求項５に記載の距舟関節プロテーゼにおいて：
前記舟状骨要素の平均厚さｔＮが前記舟状骨要素に十分な強度と剛性を提供することに矛盾しない最小値を取ることができるように、前記舟状骨要素の外側面（２６）の一部が前記舟状骨要素の内側面（２８）に対して平行かつ同軸であることを特徴とするプロテーゼ。
【請求項８】
請求項１に記載の距舟関節プロテーゼがさらに：
前記距骨要素の内側面（８）に取り付けられ、距骨への前記距骨要素の固定を容易にするよう構成された距骨突出部（１０）と、
前記舟状骨要素の内側面（２８）に取り付けられ、舟状骨への前記舟状骨要素の固定を容易にするよう構成された舟状骨突出部（３０）と、を具えていることを特徴とするプロテーゼ。
【請求項９】
請求項４に記載の距舟関節プロテーゼがさらに：
前記距骨要素の内側面（８）に取り付けられ、距骨への前記距骨要素の固定を容易にするよう構成された距骨突出部（１０）と、
前記舟状骨要素の内側面（２８）に取り付けられ、舟状骨への前記舟状骨要素の固定を容易にするよう構成された舟状骨突出部（３０）と、を具えていることを特徴とするプロテーゼ。
【請求項１０】
請求項８に記載の距舟関節プロテーゼにおいて：
前記距骨突出部（１０）が遠位端（１１）を有し、
当該距舟関節プロテーゼはさらに、距骨に移植されるよう構成された、前記距骨突出部の遠位端（１１）と結合するよう構成された連結端部（１９）を有する距骨移植レセプタクル（１８）を具えていることを特徴とするプロテーゼ。
【請求項１１】
請求項８に記載の距舟関節プロテーゼにおいて：
前記舟状骨突出部（３０）が遠位端（３１）を有し、
当該距舟関節プロテーゼはさらに、舟状骨に移植されるよう構成された、前記舟状骨突出部の遠位端（３１）と結合するよう構成された連結端部（３９）を有する舟状骨移植レセプタクル（３８）を具えていることを特徴とするプロテーゼ。
【請求項１２】
請求項１０に記載の距舟関節プロテーゼにおいて：
前記舟状骨突出部（３０）が遠位端（３１）を有し、
当該距舟関節プロテーゼはさらに、舟状骨に移植されるよう構成された、前記舟状骨突出部の遠位端（３１）と結合するよう構成された連結端部（３９）を有する舟状骨移植レセプタクル（３８）を具えていることを特徴とするプロテーゼ。
【請求項１３】
請求項１に記載の距舟関節プロテーゼがさらに：
近位面（２２）と遠位面（２４）とを有する可動ベアリング（２０）を具えており、
当該可動ベアリングの近位面（２２）は、前記距骨要素の外側面（６）と隣接して相互接続するよう構成され、
当該可動ベアリングの遠位面（２４）は、前記舟状骨要素の外側面（２６）と隣接して相互接続するよう構成されていることを特徴とするプロテーゼ。
【請求項１４】
請求項４に記載の距舟関節プロテーゼがさらに：
近位面（２２）と遠位面（２４）とを有する可動ベアリング（２０）を具えており、
当該可動ベアリングの近位面（２２）は、前記距骨要素の外側面（６）と隣接して相互接続するよう構成され、
当該可動ベアリングの遠位面（２４）は、前記舟状骨要素の外側面（２６）と隣接して相互接続するよう構成されていることを特徴とするプロテーゼ。
【請求項１５】
請求項７に記載の距舟関節プロテーゼがさらに：
近位面（２２）と遠位面（２４）とを有する可動ベアリング（２０）を具えており、
当該可動ベアリングの近位面（２２）は、前記距骨要素の外側面（６）と隣接して相互接続するよう構成され、
当該可動ベアリングの遠位面（２４）は、前記舟状骨要素の外側面（２６）と隣接して相互接続するよう構成されていることを特徴とするプロテーゼ。
【請求項１６】
請求項９に記載の距舟関節プロテーゼがさらに：
近位面（２２）と遠位面（２４）とを有する可動ベアリング（２０）を具えており、
当該可動ベアリングの近位面（２２）は、前記距骨要素の外側面（６）と隣接して相互接続するよう構成され、
当該可動ベアリングの遠位面（２４）は、前記舟状骨要素の外側面（２６）と隣接して相互接続するよう構成されていることを特徴とするプロテーゼ。
【請求項１７】
請求項１に記載の距舟関節プロテーゼにおいて：
前記適切な外科的処理は、距骨と舟状骨の関節関連部にアクセスするために用いる外科的アプローチを選択することを含んでおり、
前記外科的アプローチは、後方から前方へのアプローチ、内側から外側へのアプローチ、上方から下方へのアプローチ、またはこのようなアプローチの組み合わせからなる群から選択され、
前記距骨要素（２）はさらに、距骨と舟状骨の関節関連部にアクセスする前記外科的アプローチの選択に応じて構成され、
前記舟状骨要素（４）はさらに、距骨と舟状骨の関節関連部にアクセスする前記外科的アプローチの選択に応じて構成されることを特徴とするプロテーゼ。
【請求項１８】
請求項４に記載の距舟関節プロテーゼにおいて：
前記適切な外科的処理は、距骨と舟状骨の関節関連部にアクセスするために用いる外科的アプローチを選択することを含んでおり、
前記外科的アプローチは、後方から前方へのアプローチ、内側から外側へのアプローチ、上方から下方へのアプローチ、またはこのようなアプローチの組み合わせからなる群から選択され、
前記距骨要素（２）はさらに、距骨と舟状骨の関節関連部にアクセスする前記外科的アプローチの選択に応じて構成され、
前記舟状骨要素（４）はさらに、距骨と舟状骨の関節関連部にアクセスする前記外科的アプローチの選択に応じて構成されることを特徴とするプロテーゼ。
【請求項１９】
請求項７に記載の距舟関節プロテーゼにおいて：
前記適切な外科的処理は、距骨と舟状骨の関節関連部にアクセスするために用いる外科的アプローチを選択することを含んでおり、
前記外科的アプローチは、後方から前方へのアプローチ、内側から外側へのアプローチ、上方から下方へのアプローチ、またはこのようなアプローチの組み合わせからなる群から選択され、
前記距骨要素（２）はさらに、距骨と舟状骨の関節関連部にアクセスする前記外科的アプローチの選択に応じて構成され、
前記舟状骨要素（４）はさらに、距骨と舟状骨の関節関連部にアクセスする前記外科的アプローチの選択に応じて構成されることを特徴とするプロテーゼ。